(57)【特許請求の範囲】
【請求項１】
容量性負荷の入力特性を示す容量性電極を有する表示パネルを備える表示装置であって、
該容量性電極を少なくとも２つの駆動電位間で周期的に変化させて駆動する駆動回路と、
該駆動電位の間の電位を持つ２つ以上の容量を備えた容量群と、
前記容量性電極と前記駆動回路との接続、および、該容量性電極と前記容量群との接続を制御する接続制御回路とを具備し、
前記表示装置は、アクティブマトリクス方式の液晶表示装置であり、且つ、前記容量性電極は、該液晶表示装置の液晶表示パネルにおける対向電極であり、
前記容量性電極に印加される前記駆動電位の変化に、前記容量群に蓄積された電荷が利用されるようにしたことを特徴とする表示装置。
【請求項２】
前記接続制御回路は、
前記表示パネルの容量性電極と前記駆動回路との接続・切断、および、該容量性電極と前記容量群との接続・切断を行うスイッチ部と、
該スイッチ部のスイッチング動作を、前記容量性電極を駆動する場合は、前記駆動回路の出力が前記駆動電位間で変化した後の一定期間、該容量性電極を前記容量群のいずれか１つの容量と接続するように制御する制御部とを具備することを特徴とする請求項１の表示装置。
【請求項３】
前記容量群は、第１の容量と第２の容量の２つの容量で構成され、前記制御部は、該第１および第２の容量の電位と前記駆動回路の駆動後の電位との電位差を比較し、該第１および第２の容量の内、電位差の大きい一方の容量に接続するように前記スイッチ部を制御するようになっている請求項２の表示装置。
【請求項４】
前記駆動電位は、第１の駆動電位と第２の駆動電位の２つとされている請求項１の表示装置。
【請求項５】
前記容量群は、前記第１および第２の駆動電位のほぼ中間の電位に予めバイアスされた１つの容量で構成されていることを特徴とする請求項４の表示装置。
【請求項６】
容量性負荷の入力特性を示す容量性電極を有する表示パネルを備え、該容量性電極を少なくとも２つの駆動電位間で周期的に駆動する表示装置の駆動方法であって、
前記表示装置は、アクティブマトリクス方式の液晶表示装置であり、且つ、前記容量性電極は、該液晶表示装置の液晶表示パネルにおける対向電極であり、
前記容量性電極の駆動電位を変化させる際に、該容量性電極を、電位が前記駆動電位の間の電位に予めバイアスされた、２つ以上の容量を備えた容量群に接続する期間を設け、前記容量性電極に印加される前記駆動電位の変化を前記容量群に蓄積された電荷を利用して行うようにしたことを特徴とする表示装置の駆動方法。
【請求項７】
前記容量性電極を容量群に接続する期間は、前記容量性電極の駆動電位を変化させる、初期の一定期間であることを特徴とする請求項６の表示装置の駆動方法。
【請求項８】
前記容量群が、第１の容量と第２の容量の２つの容量で構成され、前記容量性電極の駆動電位を変化させる際に、前記第１および第２の容量の電位と前記容量性電極の駆動電位との電位差を比較し、電位差の大きい一方の容量を前記容量性電極に接続するようにしたことを特徴とする請求項７の表示装置の駆動方法。
【請求項９】
前記駆動電位を、第１の駆動電位と第２の駆動電位の２つの電位としたことを特徴とする請求項６の表示装置の駆動方法。
【発明の詳細な説明】
【０００１】
【発明の属する技術分野】
本発明は、表示装置および表示装置の駆動方法に関し、特に、液晶表示パネルの共通電極等の容量性負荷を駆動する表示装置および該表示装置の駆動方法に関する。
近年、ノート型のパーソナルコンピュータやワードプロセッサ等に対しても大画面のカラー液晶表示装置が搭載され、消費電力の増大が問題となって来ている。すなわち、低電力のカラー液晶表示装置が求められており、これを達成する駆動技術（電極駆動装置）の提供が要望されている。
【０００２】
【従来の技術】
従来、液晶の画質を向上させるために薄膜トランジスタ（ＴＦＴ）を使用したアクティブマトリクス方式の液晶表示装置が提供されている。さらに、表示色数を増大するために低電圧（例えば、＋５Ｖ単一電源）のデータライン駆動回路（データドライバ）が開発されている。ところで、液晶は交流化駆動が必要なため、従来技術においては、共通電極の電位をバッファ（オペアンプのボルテージフォロワ等）により１水平ライン毎に反転して駆動するようになっている。
【０００３】
図５はアクティブマトリクス方式の液晶表示装置の一例を示すブロック図、また、図６は図５の液晶表示装置における各画素の構成を説明するための図、そして、図７は図５の液晶表示装置の動作を説明するためのタイミングチャートである。
図５において、参照符号１０１はＬＣＤパネル，１０２はデータライン駆動回路，１０３はゲートライン駆動回路，１０６および１０８はシフトレジスタ，１０７はデータホールド回路，そして，１０９はゲート駆動回路を示している。
【０００４】
図５に示されるように、アクティブマトリクス方式ＬＣＤ（液晶表示装置）は、ＬＣＤパネル１０１，データライン駆動回路１０２，および，ゲートライン駆動回路１０３を備えて構成されている。ＬＣＤパネル１０１は、２枚のガラス板（ＴＦＴ基板およびコモン基板）の隙間に液晶材料（１０５）を封止した構造になっており、各ガラス板の内側面には画素電極がマトリクス状に形成されている。
【０００５】
データライン駆動回路１０２は、シフトレジスタ１０６およびデータホールド回路１０７を備え、入力されたデータ電圧をデータクロックに従って、第１番目の出力から順にホールドし、１ライン分のデータを垂直方向画素ライン（データライン）に順次供給するようになっている。ゲートライン駆動回路１０３は、シフトレジスタ回路１０８およびゲート駆動回路１０９を備え、第１番目の出力からシフトクロックに従って順次ゲート駆動電圧を出力して、１ライン毎に選択してデータ書き込みを行うようになっている。
【０００６】
図６に示されるように、ＬＣＤパネル１０１における各画素は、ゲート電極にゲートライン駆動回路１０３の出力が供給され、ドレイン電極にデータライン駆動回路１０２の出力が供給されたトランジスタ（ＴＦＴ）１０４によりスイッチング制御されるようになっている。すなわち、ゲートライン駆動回路１０３の出力により、１ライン分のＴＦＴ１０４がスイッチ・オンとされ、データライン駆動回路１０２からの１ライン分のデータが各画素（１０５）の画素電極に印加され、データの書き込みが行われる。
【０００７】
図７に示されるように、まず、データライン駆動回路１０２およびゲートライン駆動回路１０３を一旦リセット状態にした後、データライン駆動回路１０２に対してデータクロックと共に水平１ライン分のデータ（データ出力  Ｎｏ．  １〜Ｎｏ．  ｎ）を送り込み、ホールドが完了した時点でゲートライン駆動回路１０３から第１番目の水平ラインに対して駆動電圧（ゲート駆動信号  Ｎｏ．  １）  が出力される。これにより、第１番目の水平ラインの各ＴＦＴ１０４が導通状態となって各画素への書き込みが行われる。さらに、次の周期では、データライン駆動回路１０２に対して第２番目の水平ラインに対するデータ電圧（データ出力  Ｎｏ．  １〜Ｎｏ．  ｎ）がセットされ、ゲートライン駆動回路１０３から第２番目の水平ラインに対して駆動電圧（ゲート駆動  Ｎｏ．  ２）  が出力される。以上の操作を順次繰り返して最終の水平ラインまでデータの書き込みが完了すると、第１番目の水平ラインに戻り、新たなデータの書き込み動作に入り、順次所定の画像を表示するようになっている。
【０００８】
【発明が解決しようとする課題】
図８はアクティブマトリクス方式の液晶表示装置の一例の等価回路を示す図である。図８から明らかなように、共通電極（コモン電極および蓄積容量電極）は容量性負荷であるため、２水平ライン毎にこの容量の充放電を繰り返さなければならない。ここで、図８に示す液晶表示装置では、蓄積容量Ｃｓ  および蓄積容量電極を設けて各画素が有する容量Ｃｌｃによる画質劣化を低減するように構成されている。さらに、蓄積容量電極は蓄積容量電極駆動回路（容量性電極駆動回路）１１１により駆動され、また、コモン電極（対向電極）はコモン電極駆動回路（容量性電極駆動回路）１１２により駆動されるようになっている。なお、本発明の対象は、この図８に示されるような、表示パネル（ＬＣＤパネル）における容量性電極（蓄積容量電極およびコモン電極）１を駆動する表示装置の電極駆動装置、および、該駆動装置を有する表示装置（例えば、アクティブマトリクス方式の液晶表示装置）である。
【０００９】
この図８に示す液晶表示装置においては、コモン電極および蓄積容量電極はパネル内の全ての画素で共通となっており、その容量は大きなものとなっている。さらに、近年の液晶表示装置の大画面化の進展にともなって、この容量の増大は一層加速されることになっている。その結果、以下に説明するような、消費電力の増大という課題を招くことになっている。
【００１０】
図９は従来の表示装置の駆動回路の一例を示すブロック図であり、また、図１０は図９の駆動回路の動作を説明するためのタイミング図である。
図９において、参照符号２０１は容量性電極（共通電極）を示し、参照符号２０２は入力信号（論理信号）Ｓｉ  に応じて駆動信号Ｓｏ  を出力するバッファ部を示している。
【００１１】
図１０に示されるように、バッファ部２０２は、共通電極の負荷容量を交流駆動することになるが、その都度、電荷が移動して所定の電流が流れる。さらに、表示パネルの大型化にともなって、共通電極の負荷容量も増大し、液晶表示装置の消費電力は一層大きなものとなっている。
本発明は、上述した従来の液晶表示装置等の表示装置が有する課題に鑑み、容量性電極の駆動電力を低減して表示装置の消費電力を削減することを目的とする。
【００１２】
【課題を解決するための手段】
本発明によれば、容量性負荷の入力特性を示す容量性電極を有する表示パネルを備える表示装置であって、該容量性電極を少なくとも２つの駆動電位間で周期的に変化させて駆動する駆動回路と、該駆動電位の間の電位を持つ２つ以上の容量を備えた容量群と、前記容量性電極と前記駆動回路との接続、および、該容量性電極と前記容量群との接続を制御する接続制御回路とを具備し、前記表示装置は、アクティブマトリクス方式の液晶表示装置であり、且つ、前記容量性電極は、該液晶表示装置の液晶表示パネルにおける対向電極であり、前記容量性電極に印加される前記駆動電位の変化に、前記容量群に蓄積された電荷が利用されるようにしたことを特徴とする表示装置が提供される。
【００１３】
さらに、本発明によれば、容量性負荷の入力特性を示す容量性電極を有する表示パネルを備え、該容量性電極を少なくとも２つの駆動電位間で周期的に駆動する表示装置の駆動方法であって、前記表示装置は、アクティブマトリクス方式の液晶表示装置であり、且つ、前記容量性電極は、該液晶表示装置の液晶表示パネルにおける対向電極であり、前記容量性電極の駆動電位を変化させる際に、該容量性電極を、電位が前記駆動電位の間の電位に予めバイアスされた、２つ以上の容量を備えた容量群に接続する期間を設け、前記容量性電極に印加される前記駆動電位の変化を前記容量群に蓄積された電荷を利用して行うようにしたことを特徴とする表示装置の駆動方法が提供される。
【００１４】
【発明の実施の形態】
本発明の表示装置によれば、駆動回路は、容量性電極を少なくとも２つの駆動電位間で周期的に変化させて駆動する。また、容量群は１つ以上設けられ、駆動電位の間の電位を有している。さらに、接続制御回路は、容量性電極と駆動回路との接続、および、容量性電極と容量群との接続を制御する。そして、容量性電極に印加される駆動電位の変化に、容量群に蓄積された電荷が利用されるようになっている。これにより、容量性電極の駆動電力を低減して表示装置の消費電力を削減することができる。
【００１５】
また、表示装置の駆動方法によれば、容量性電極の駆動電位を変化させる際に、容量性電極を、電位が駆動電位の間の電位に予めバイアスされた、１つ以上の容量群に接続する期間が設けられている。そして、容量性電極に印加される駆動電位の変化を容量群に蓄積された電荷を利用して行うようになっている。これにより、容量性電極の駆動電力を低減して表示装置の消費電力を削減することができる。
【００１６】
図１は本発明に係る表示装置の駆動回路の原理構成を示すブロック図であり、図２は図１の駆動回路の動作を説明するためのタイミング図である。すなわち、図２は容量性電極（対向電極）をライン反転（１水平期間毎に反転）する場合を示すタイミング図であり、同図において、参照符号ＴＨ  は１水平期間を示し、ＴＭ  は１水平期間の初めの数μｓを示しており、１水平期間の１／１０程度に設定することができる。
【００１７】
また、電圧ＳＣは  ２．５ボルトであり、ＶＡ  は５ボルト、そして、ＶＢ  は０ボルトとなっている。さらに、図２のテイミング図では、図３におけるＣＭ１の初期化の充電の部分については省略されている。なお、上記の各電圧値等は、一例であり、本発明を限定するものでないのはもちろんである。
図１において、参照符号１は表示パネル１０１における容量性電極（共通電極：コモン電極および蓄積容量電極），２は入力信号（論理信号）ＳＩ  に応じて駆動信号ＳＯ１を出力するバッファ部，  ３（３−１〜３−ｎ）は容量群（容量１〜容量ｎ），そして，１０はスイッチ部４および制御部５を備えた接続制御部を示している。
【００１８】
図１に示されるように、例えば、アクティブマトリクス方式の液晶表示装置における共通電極（蓄積容量電極およびコモン電極）１を駆動する容量性電極駆動回路（蓄積容量電極駆動回路１１１およびコモン電極駆動回路１１２）は、バッファ部２，  容量群３（３−１〜３−ｎ），  スイッチ部４，  および，  制御部５を備えて構成されている。
【００１９】
スイッチ部４は、容量性電極１とバッファ部２との接続，および，容量性電極１と容量群３（例えば、容量群３−１〜３−ｎの内の１つの容量）との接続を、制御部５からの制御信号ＳＳ  に応じて制御（接続・切断の制御）するようになっている。すなわち、スイッチ部４により選択されたバッファ部２の出力（ＳＯ１），または，  容量群３−１〜３−ｎの内の１つの容量の片側の電極（Ｓｃ−１〜Ｓｃ−ｎ）  が容量性電極１の入力線（ＳＯ２）に接続されるようになっている。
【００２０】
図２に示されるように、制御部５は、入力信号ＳＩ  の変化（反転）するエッジから一定期間（ＴＭ  ）だけ、容量群３における容量３−１〜３−ｎのいずれか１つの電極線ＳＣ−１〜ＳＣ−ｎと容量性電極１とを接続し、それ以外の期間はバッファ部２の出力（駆動信号）ＳＯ１と容量性電極１とを接続するようにスイッチ部４を制御する。ここで、電極線ＳＣ−１〜ＳＣ−ｎの電位は、バッファ部２の出力（反転電圧）ＳＯ１の中心電位にほぼ等しくされており、これにより、バッファ部２には、該バッファ部２の出力ＳＯ１と容量性電極１とが接続されている期間のみ電流が流れて電源電力を消費するが、それ以外の期間には電流が流れず電源電力を消費しないことになる。
【００２１】
さらに、バッファ部２は、該バッファ部２の出力ＳＯ１（反転電圧ＶＡ  とＶＢ  ）の中心の電位ＶＭｉ［＝（ＶＡ  ＋ＶＢ  ）÷２］から出力ＳＯ１（反転電圧ＶＡ  またはＶＢ  ）までの間の電位差を駆動すればよいため、電流そのものも少なくてすむ。すなわち、本発明の表示装置の電極駆動装置によれば、容量性電極１に印加される駆動電位（バッファ部２の出力ＳＯ１：反転電圧ＶＡ  ，ＶＢ  ）の変化を容量群３に蓄積された電荷を利用して行うことにより、消費電力を低減することができる。なお、反転電圧ＶＡ  およびＶＢ  の中心の電位ＶＭｉ［電極線ＳＣ（ＳＣ−１〜ＳＣ−ｎ）の電位］には駆動によりΔＶＭｉの変動が生じるが、外付け容量（容量群３における容量３−１〜３−ｎ）を容量性負荷の容量に対して十分に大きく（例えば，１０倍以上）設定すればΔＶＭｉの変動は無視することができる。
【００２２】
ここで、容量性電極の容量をＣＬＤ、１水平期間をＴＨ  とすると平均消費電流Ｉａは２水平期間にＶＡ  からＶＢ  に移動した電荷量の平均としてＩａ＝ＣＬＤ×（ＶＢ  −ＶＡ  ）÷４ＴＨ  で表される。なお従来例を図３に示すが、この場合の平均消費電流Ｉｂは、Ｉｂ＝ＣＬＤ×（ＶＢ  −ＶＡ  ）÷２ＴＨ  となり、本発明の場合の倍になる。ただし実際には容量性電極の負荷には抵抗成分があるため両者の差は小さくなる。
【００２３】
【実施例】
以下、図面を参照して本発明に係る表示装置の電極駆動装置の実施例を説明する。
図３は本発明に係る表示装置の駆動回路の一実施例を示す回路図である。図３に示す実施例において、参照符号１は容量性負荷（ＣＬＤ），２はバッファ部，  ３は容量群（容量），４はスイッチ部，  ５は制御部，  ６は基準電圧発生部，  そして，７は初期化部を示している。ここで、図３において、容量性負荷１（ＣＬＤ）の容量は、例えば、２００〜３００ｎＦ程度であり、動作電圧（反転電圧）ＶＡ  は５Ｖ、また、ＶＢ  は０Ｖとなっている。さらに、容量群３（ＣＭ１）の容量は、２〜３μＦ程度であり、基準電圧ＳＣは約  ２．５Ｖとなっている。そして、高電位電源ＶＤＤは１２Ｖ、低電位電源ＶＳＳは０Ｖであり、抵抗Ｒ１およびＲ２の分圧によって得られる出力電圧は、  ２．５Ｖである。また、初期化部７によって規定される容量ＣＭ１への充電の期間は、電源投入直後の短時間、例えば、数ｍｓ〜１０ｍｓ程度である（このタイミングに付いては、図２には示されていない）。なお、上記の各電圧値等は、一例であり、本発明を限定するものでない。
【００２４】
容量性負荷１は、例えば、アクティブマトリクス方式の液晶表示装置の表示パネル（１０１）におけるコモン電極および蓄積容量電極等の共通電極であり、バッファ部２は入力信号（論理信号）ＳＩ  に応じて駆動信号ＳＯ１を出力する演算増幅器（オペアンプ）を備えて構成されている。ここで、従来の構成では、このバッファ部２の出力が直接に容量性負荷（共通電極）１に供給されるようになっている。
【００２５】
図１と図３との比較から明らかなように、図３に示す実施例では、容量群３を１つの容量ＣＭ１により構成するようになっている。スイッチ部４は、例えば、ディレイ回路およびエクスクルーシブ・オア（ＥＸ−ＯＲ）ゲートを備えて構成されている。基準電圧発生部６は、抵抗Ｒ１およびＲ２により分圧された電圧をオペアンプ（Ｍ２）で低インピーダンス化して出力するようになっており、初期化部７は、電源投入時（初期化時）直後の短時間だけ、基準電圧発生部６の出力電圧を容量ＣＭ１（３）に印加して基準電圧（高電位電源電圧ＶＤＤ（ＶＢ  ）と低電位電源電圧ＶＳＳ（ＶＡ  ）との間の電圧（ＶＭｉ；ＶＡ  ＜ＶＭｉ＜ＶＢ  ）、例えば、ほぼ中間の電圧（ＶＭ  ≒（ＶＡ  ＋ＶＢ  ）÷２））にバイアスするようになっている。ここで、初期化部７におけるスイッチＳＷ２をオン状態にするタイミングは、電源投入時から容量Ｃ１に電荷が溜まってインバータがオフするまでの電源投入時直後の短時間であり、これにより容量ＣＭ１を基準電圧にバイアスするようになっている。
【００２６】
本実施例においては、定常駆動時では反転信号（入力信号）ＳＩをディレイ回路およびＥＸ−ＯＲゲートにより微分して、制御信号ＳＳをスイッチ部４に供給し、入力信号ＳＩの変化後の一定期間だけ容量性負荷（共通電極１）ＣＬＤを容量ＣＭ１（３）に接続し、その他の期間は容量性負荷ＣＬＤをバッファ部２に接続する。すなわち、入力信号ＳＩが反転する度に、その直後の短時間だけ容量群３の容量ＣＭ１と容量性負荷ＣＬＤとを接続するように制御して、容量性負荷の駆動電力を低減して表示装置の消費電力を削減するようになっている。
【００２７】
図４は本発明に係る表示装置の駆動回路の他の実施例を示す回路図である。本実施例においては、容量群３を２つの容量ＣＭ１１  およびＣＭ１２  により構成し、該２つの容量の内の適切な一方を選択して容量性負荷ＣＬＤと接続するようになっている。すなわち、制御部５が、図３に示す制御部に対して、さらに、ＥＸ−ＯＲゲート，  コンパレータおよびラッチ回路を備え、容量群３を構成する容量ＣＭ１１  およびＣＭ１２  の電位（ＶＭ１，ＶＭ２）とバッファ部（駆動回路）２の駆動後の電位（ＶＡ  ；ＶＢ  ）との電位差を比較し、これら２つの容量（ＣＭ１，ＣＭ２）の内、電位差の大きい一方の容量を容量性負荷ＣＬＤに接続するようにスイッチ部４（ＳＷ１１，ＳＷ１２）を制御するようになっている。
【００２８】
図４において、図３と同一符号のものは図３と同様の値とされている。また、容量ＣＭ１１，ＣＭ１２  の容量は、容量性負荷１（ＣＬＤ）の１０倍程度に対応し、それぞれ２〜３μＦ程度である。さらに、容量ＣＭ１１，ＣＭ１２  の電位ＶＭ１，  ＶＭ２は、初期の状態（電源投入直後）で幾つかのパターンができ、初期の状態で、容量ＣＭ１１，ＣＭ１２  の電位ＶＭ１，  ＶＭ２を同電位としておく場合と、電位ＶＭ１，  ＶＭ２を異なる電位としておく場合がある。
【００２９】
まず、初期の状態において容量ＣＭ１１，ＣＭ１２  の電位ＶＭ１，  ＶＭ２を同電位としておく場合、さらに幾つかの場合が考えられ（論理的には、ＶＡ  とＶＢ  との間の電位であれば、任意の値をとることができ）、例えば、▲１▼ＶＭ１，  ＶＭ２が共に０Ｖの場合、▲２▼ＶＭ１，  ＶＭ２が共に  ２．５Ｖの場合、そして、▲３▼ＶＭ１，  ＶＭ２が共に５Ｖの場合等が考えられる。
【００３０】
具体的に、▲１▼初期の状態における容量ＣＭ１１，ＣＭ１２  の電位ＶＭ１，  ＶＭ２が共に０Ｖの場合には、初期化の充電が不要であり、図３に示される基準電圧発生部６或いは初期化部７といった回路が不要となる。そして、動作としては、選択されて接続されて行くうちに、容量ＣＭ１１，ＣＭ１２  に電荷が蓄積され、電位ＶＭ１，  ＶＭ２は共に０Ｖから  ２．５Ｖに近づいて行くことになる。この▲１▼ＶＭ１，  ＶＭ２が共に０Ｖの場合には、初期の充電が不要となるが、さらに、充電のための回路も不要とすることができるという効果があり、図４はこの初期の状態で、▲１▼容量ＣＭ１１，ＣＭ１２  の電位ＶＭ１，  ＶＭ２が共に０Ｖの場合に対応した構成を示すものである。
【００３１】
また、▲２▼初期の状態における容量ＣＭ１１，ＣＭ１２  の電位ＶＭ１，  ＶＭ２が共に  ２．５Ｖの場合には、  ２．５Ｖを中心に変動している容量ＣＭ１１，ＣＭ１２  （すなわち、電位ＶＭ１，  ＶＭ２）から適切な一方（電位差の大きい方）を選択して接続する。さらに、▲３▼初期の状態における容量ＣＭ１１，ＣＭ１２  の電位ＶＭ１，  ＶＭ２が共に５Ｖの場合には、その動作は、前述した▲１▼初期の状態における容量ＣＭ１１，ＣＭ１２  の電位ＶＭ１，  ＶＭ２が共に０Ｖの場合と逆になり、電位ＶＭ１，  ＶＭ２が共に５Ｖから  ２．５Ｖに近づいて行くことになる。
【００３２】
ここで、▲２▼ＶＭ１，  ＶＭ２が共に  ２．５Ｖの場合、または、▲３▼ＶＭ１，  ＶＭ２が共に５Ｖの場合には、初期の充電が必要となるが、この場合、初期充電を行うための充電回路を１つだけ設け、該充電回路を２系統に分けて各容量ＣＭ１１，ＣＭ１２  の充電を行うように構成すればよい。
次に、初期の状態において容量ＣＭ１１，ＣＭ１２  の電位ＶＭ１，  ＶＭ２を異なる電位としておく場合、さらに幾つかの場合が考えられ（論理的には、ＶＡ  とＶＢ  との間の電位であれば、任意の値をとることができ）、例えば、▲４▼ＶＭ１，  ＶＭ２がそれぞれ０Ｖ，５Ｖの場合、▲５▼ＶＭ１，  ＶＭ２ががそれぞれ２Ｖ，３Ｖの場合等が考えられる。これら▲４▼および▲５▼のいずれの場合でも、動作としては容量ＣＭ１１，ＣＭ１２  （すなわち、電位ＶＭ１，  ＶＭ２）から適切な一方（電位差の大きい方）を選択して接続し、電位ＶＭ１，  ＶＭ２は次第に  ２．５Ｖに近づいて行くことになる。
【００３３】
ここで、初期の状態において容量ＣＭ１１，ＣＭ１２  の電位ＶＭ１，  ＶＭ２を異なる電位としておく場合（例えば、▲４▼および▲５▼の場合）には、容量ＣＭ１１，ＣＭ１２  への充電の方法は幾つかある。具体的に、例えば、前述した図３に示す基準電圧発生部６のような回路を２つ設けてそれぞれ異なる基準電圧を発生し、該異なる基準電圧により各容量ＣＭ１１，ＣＭ１２  それぞれの充電を行う方法、容量ＣＭ１１，ＣＭ１２  への充電時間を変える方法、或いは、容量自体を各容量ＣＭ１１，ＣＭ１２  で変える方法、さらには、上記各方法を組み合わせる方法等が考えられる。
【００３４】
このように、図４の実施例においては、上述したように、様々な場合が考えられるが、これらは必要に応じて適宜選択されるべきものである。いずれにしても、図４に示されるように、スイッチ部４におけるスイッチＳＷ１１は、容量性負荷ＣＬＤ（１）とバッファ部２または容量群３との接続を制御し、また、スイッチＳＷ１２は、容量群３の２つの容量ＣＭ１，ＣＭ２における一方の容量（バッファ部２の駆動後の電位との電位差が大きい方の容量）の選択を行うようになっている。すなわち、容量性負荷ＣＬＤを低レベル『Ｌ』から高レベル『Ｈ』に駆動する場合、容量群３における電位の高い方の容量（ＣＭ１またはＣＭ２）を選択し、逆に、容量性負荷ＣＬＤを高レベル『Ｈ』から低レベル『Ｌ』に駆動する場合、容量群３における電位の低い方の容量（ＣＭ１またはＣＭ２）を選択することになる。なお、本実施例に対して、図３を参照して説明した基準電圧発生部６および初期化部７の構成を含めるようにしてもよい。
【００３５】
上述した実施例において、容量ＣＭｉとしては、例えば、セラミックコンデンサ等の素子を使用することができ、該容量素子は、液晶パネル状にドライバＩＣ等と併設して外付けすることができる。また、容量素子としては、セラミックコンデンサ以外のものを使用することも可能であり、これに限定されるものではないのはもちろんである。
【００３６】
さらに、以上の説明では、容量性負荷として、アクティブマトリクス方式の液晶表示装置におけるコモン電極および蓄積容量電極等の共通電極を例としているが、本発明の表示装置の電極駆動装置は、アクティブマトリクス方式の液晶表示装置におけるコモン電極駆動回路および蓄積電極駆動回路に限定されるものではなく、様々な表示装置において入力インピーダンスが容量性を示す容量性電極を駆動する装置に適用することができる。
【００３７】
【発明の効果】
以上、詳述したように、本発明の表示装置および表示装置の駆動方法によれば、共通電極が容量性負荷であることを利用し、新たに設けた容量に電荷の一部を蓄積して再利用することによって、液晶パネルの共通電極等の容量性負荷を反転駆動する場合の駆動電力を低減して表示装置の消費電力を削減することができる。
【図面の簡単な説明】
【図１】本発明に係る表示装置の駆動回路の原理構成を示すブロック図である。
【図２】図１の駆動回路の動作を説明するためのタイミング図である。
【図３】本発明に係る表示装置の駆動回路の一実施例を示す回路図である。
【図４】本発明に係る表示装置の駆動回路の他の実施例を示す回路図である。
【図５】アクティブマトリクス方式の液晶表示装置の一例を示すブロック図である。
【図６】図５の液晶表示装置における各画素の構成を説明するための図である。
【図７】図５の液晶表示装置の動作を説明するためのタイミング図である。
【図８】アクティブマトリクス方式の液晶表示装置の一例の等価回路を示す図である。
【図９】従来の表示装置の駆動回路の一例を示すブロック図である。
【図１０】図９の駆動回路の動作を説明するためのタイミング図である。
【符号の説明】
１…容量性電極（共通電極）
２…駆動回路（バッファ部）
３（３−１〜３−ｎ）…容量群
４…スイッチ部
５…制御部
６…基準電圧発生部
７…初期化部
１０…接続制御回路
１０１…表示パネル（ＬＣＤパネル）
１０２…データライン駆動回路
１０３…ゲートライン駆動回路
１０４…薄膜トランジスタ（ＴＦＴ）
１０５…液晶
１１１…蓄積容量電極駆動回路（容量性電極駆動回路）
１１２…コモン電極駆動回路（容量性電極駆動回路）
【図１】
0003596958.tif 000002
【図２】
0003596958.tif 000003
【図３】
0003596958.tif 000004
【図４】
0003596958.tif 000005
【図５】
0003596958.tif 000006
【図６】
0003596958.tif 000007
【図７】
0003596958.tif 000008
【図８】
0003596958.tif 000009
【図９】
0003596958.tif 000010
【図１０】
0003596958.tif 000011